(57)【要約】  本発明は、ゴルフパターヘッドにおいて、ヘッド本体と、ゴルフボールを打撃するために前記ヘッド本体の前方に設置され、前記ヘッド本体に対して所定の範囲で上下に自由にスライドできる打撃部材とを含むゴルフパターヘッダーに関するものである。本発明によれば、ゴルフボールの打撃の際にスムーズなゴルフボールの回転によってゴルフボールの方向性が向上するという効果がある。【選択図】  図１
2019526426.tif 000002
【特許請求の範囲】
【請求項１】
ゴルフパターヘッドであって、
ヘッド本体と、
ゴルフボールを打撃するために前記ヘッド本体の前方に設置され、前記ヘッド本体に対して所定の範囲で上下に自由にスライドできる打撃部材とを含む、ゴルフパターヘッド。
【請求項２】
前記打撃部材は、板状をしており、前記打撃部材のゴルフボール打撃面の反対側の面には、前記ヘッド本体に対してスライドされる少なくとも一つのスライド部が備えられることを特徴とする、請求項１に記載のゴルフパターヘッド。
【請求項３】
前記ヘッド本体の前方には、前記打撃部材のスライド部のスライドを所定の範囲で案内するために、前記少なくとも一つのスライド部と対応する位置に、所定の高さを持つ案内部材が備えられることを特徴とする、請求項１または２に記載のゴルフパターヘッド。
【請求項４】
前記案内部材と前記スライド部との間には、スライドをスムーズにするための一つ以上のボールベアリングが配置されることを特徴とする、請求項１乃至３のいずれか一項に記載のゴルフパターヘッド。
【請求項５】
前記ヘッド本体は、前記打撃部材が装着される前方本体、及び前記前方本体に対して前後方向に自由にスライドされるように設置される後方本体を含むことを特徴とする、請求項１乃至４のいずれか一項に記載のゴルフパターヘッド。
【請求項６】
前記ゴルフパターヘッドは、前記前方本体と前記後方本体との間に備えられる少なくとも一つの緩衝装置をさらに含むことを特徴とする、請求項１乃至５のいずれか一項に記載のゴルフパターヘッド。
【請求項７】
前記緩衝装置はスポンジ、スプリング、シリンダー、およびショックアブソーバのいずれかであることを特徴とする、請求項１乃至６のいずれか一項に記載のゴルフパターヘッド。
【請求項８】
前記パターヘッドは、パターの打撃時に前記前方本体と前記後方本体が圧縮される力を前記打撃部材に伝達することにより、前記打撃部材を前記ヘッド本体に対して能動的に上昇させる上昇機構をさらに含むことを特徴とする、請求項１乃至７のいずれか一項に記載のゴルフパターヘッド。
【請求項９】
前記後方本体は、前面部に少なくとも一つの水平方向ラックギアを含み、前記前方本体は、前記水平方向ラックギアの前後移動により前記前方本体の長さ方向と平行な回転軸を中心に回転するピニオンギアを含み、前記打撃部材は、その後面部に前記ピニオンギアの回転によって上下に移動するようになっている垂直方向ラックを備えることを特徴とする、請求項１乃至８のいずれか一項に記載のゴルフパターヘッド。
【請求項１０】
前記ピニオンギアは、前記回転軸方向に配置される直径の異なる第１ピニオンギアと第２ピニオンギアからなり、前記第１ピニオンギアおよび前記第２ピニオンギアのうちのいずれか一方が前記水平方向ラックギアに連結され、他の一方が前記垂直方向ラックギアに連結されることを特徴とする、請求項１乃至９のいずれか一項に記載のゴルフパターヘッド。
【請求項１１】
前記打撃部材は、前記ヘッド本体の上面よりも高く上方に突出している延長部を含み、前記延長部の上端には第１ヒンジ連結部が備えられ、前記後方本体の上面には第２ヒンジ連結部が備えられ、前記第１ヒンジ連結部および前記第２ヒンジ連結部にそれぞれヒンジ結合される第１端部及び第２端部を備える棒を含むことを特徴とする、請求項１乃至１０のいずれか一項に記載のゴルフパターヘッド。
【請求項１２】
前記前方本体の後方に水平に設置される第１シリンダー、前記前方本体の上部に垂直に設置される第２シリンダー、及び前記第１シリンダーの内部と前記第２シリンダーの内部とを互いに連通させる流路を含み、
前記第１シリンダーは、前記後方本体に向かって延びている第１ピストンロッドを含み、前記第２シリンダーは、上方に向かって延びている第２ピストンロッドを含み、前記打撃部材は、前記第２ピストンロッドの上端部と当接できるように延びている連結部を備えることを特徴とする、請求項１乃至１１のいずれか一項に記載のゴルフパターヘッド。
【請求項１３】
前記第１シリンダーの直径が前記第２シリンダーの直径よりも大きいことを特徴とする、請求項１乃至１２のいずれか一項に記載のゴルフパターヘッド。
【請求項１４】
前記第１シリンダー及び前記第２シリンダーが油圧シリンダーまたは空圧シリンダーであることを特徴とする、請求項１乃至１３のいずれか一項に記載のゴルフパターヘッド。
【請求項１５】
前記前方本体および前記後方本体のうちのいずれか一方には、本体を前後方向に貫通する少なくとも一つのホールが設けられており、他の一方には、前記ホールを通過するシャフトが設けられていることを特徴とする、請求項１乃至１４のいずれか一項に記載のゴルフパターヘッド。
【請求項１６】
前記前方本体と前記後方本体のうちのいずれか一方には、前記ホールを通過して移動する前記シャフトの前後方向の直線運動をスムーズにするためにリニアブッシュが備えられていることを特徴とする、請求項１乃至１５のいずれか一項に記載のゴルフパターヘッド。
【請求項１７】
前記シャフトの外周には、前記前方本体と前記後方本体との間の衝撃を緩和するための衝撃緩和部材が設置されていることを特徴とする、請求項１乃至１６のいずれか一項に記載のゴルフパターヘッド。
【請求項１８】
請求項１乃至１７のいずれか一項に記載のゴルフパターヘッド、および該ゴルフパターヘッドのヘッド本体に連結されるグリップを含むゴルフパター。
【請求項１９】
前記ゴルフパターのグリップは前記後方本体に連結されることを特徴とする、請求項１８に記載のゴルフパター。
【発明の詳細な説明】
【技術分野】
【０００１】
本発明は、ゴルフパターヘッド及びこれを備えたゴルフパターに係り、より詳細には、ゴルフボールの打撃の際にゴルフボールの回転をスムーズにすることができる、ゴルフパターヘッド及びこれを備えたゴルフパターに関する。
【背景技術】
【０００２】
一般に、ゴルフクラブは、ゴルフボールを打撃するヘッド部、ヘッドから延びた棒状のシャフト部、ユーザーが把持することができるようにシャフトに設けられたグリップ部とから構成される。このようなゴルフクラブは、ウッド（Ｗｏｏｄ）、アイアン（Ｉｒｏｎ）、パター（Ｐｕｔｔｅｒ）などに分けられ、飛距離または打撃角度に応じて様々な種類が備えられる。
【０００３】
各種類のゴルフクラブの中で、ウッドはゴルフボールを出来る限り遠く送るために使用され、アイアンはゴルフボールを所望の位置に送るために使用され、パターはグリーン上に位置するゴルフボールをホールに入れるために使用される。
【０００４】
特に、パターは、ゴルフボールをホールに入れるために使用される特性上、ユーザーの所望する方向と距離にゴルフボールを移動させるために、正確性が非常に重要視される。パターでゴルフボールを打撃するとき、ゴルフボールが地面に対して滑るばかりで、スムーズに回転しなければ、ユーザーの所望する方向と距離にゴルフボールを正確に移動させ難くなる。
【０００５】
しかし、従来のパターでゴルフボールを打撃する場合、パターの打撃面とゴルフボールとの摩擦力によってゴルフボールのスムーズな回転が妨げられ、その結果、ゴルフボールが回転する前に地面に対して滑るという問題点があった。
【先行技術文献】
【特許文献】
【０００６】
【特許文献１】韓国登録実用新案第２０−０２９９１９７号公報
【発明の概要】
【発明が解決しようとする課題】
【０００７】
本発明は、かかる問題点を解決するためになされたもので、その目的は、パターでゴルフボールを打撃する際にゴルフボールをスムーズに回転させることができる、ゴルフパターヘッド及びこれを備えたゴルフパターを提供することにある。
【課題を解決するための手段】
【０００８】
上述した課題を解決するための手段として、本発明は、ゴルフパターヘッドを提供する。本発明の実施形態によれば、ゴルフパターヘッドであって、ヘッド本体と、ゴルフボールを打撃するために前記ヘッド本体の前方に設置され、前記ヘッド本体に対して所定の範囲で上下に自由にスライドできる打撃部材とを含むことができる。
【０００９】
前記打撃部材は、板状からなり、打撃部材のゴルフボール打撃面の反対側の面には、ヘッド本体に対してスライドされる少なくとも一つのスライド部が備えられることを特徴とする。
【００１０】
前記ヘッド本体の前方には、前記打撃部材のスライド部のスライドを所定の範囲で案内するために、前記少なくとも一つのスライド部と対応する位置に、所定の高さを持つ案内部材が備えられることを特徴とする。
【００１１】
前記案内部材と前記スライド部との間には、スライドをスムーズにするための一つ以上のボールベアリングが配置されることを特徴とする。
【００１２】
前記ヘッド本体は、前記打撃部材が装着される前方本体、及び前記前方本体に対して前後方向に自由にスライドされるように設置される後方本体を含むことを特徴とする。
【００１３】
前記ゴルフパターヘッドは、前記前方本体と後方本体との間に備えられる少なくとも一つの緩衝装置をさらに含むことを特徴とする。
【００１４】
前記緩衝装置は、スポンジ、スプリング、シリンダー、およびショックアブソーバのいずれかであることを特徴とする。
【００１５】
前記パターヘッドは、パターの打撃時に前記前方本体と後方本体が圧縮される力を前記打撃部材に伝達することにより、前記打撃部材を前記ヘッド本体に対して能動的に上昇させる上昇機構をさらに含むことができる。
【００１６】
前記後方本体は、前面部に少なくとも一つの水平方向ラックギアを含み、前記前方本体は、前記水平方向ラックギアの前後移動により前記前方本体の長さ方向と平行な回転軸を中心に回転するピニオンギアを含み、前記打撃部材は、その後面部に前記ピニオンギアの回転により上下に移動するようになっている垂直方向ラックギアを備えることを特徴とする。
【００１７】
前記ピニオンギアは、前記回転軸方向に配置される直径の異なる第１ピニオンギアと第２ピニオンギアから構成され、第１ピニオンギアおよび第２ピニオンギアのうちのいずれか一方が前記水平方向ラックギアに連結され、他の一方が前記垂直方向ラックギアに連結されることを特徴とする。
【００１８】
前記打撃部材は、ヘッド本体の上面よりも高く上方に突出している延長部を含み、前記延長部の上端には第１ヒンジ連結部が備えられ、前記後方本体の上面には第２ヒンジ連結部が備えられ、前記第１ヒンジ連結部および第２ヒンジ連結部にそれぞれヒンジ結合される第１端部及び第２端部を備える棒を含むことを特徴とする。
【００１９】
前記前方本体の後方に水平に設置される第１シリンダー、前記前方本体の上部に垂直に設置される第２シリンダー、及び前記第１シリンダーの内部と第２シリンダーの内部とを互いに連通させる流路を含み、前記第１シリンダーは、前記後方本体に向かって延びている第１ピストンロッドを含み、前記第２シリンダーは、上方に向かって延びている第２ピストンロッドを含み、前記打撃部材は、前記第２ピストンロッドの上端部と当接できるように延びている連結部を備えることを特徴とする。
【００２０】
前記第１シリンダーの直径が前記第２シリンダーの直径よりも大きいことを特徴とする。
【００２１】
前記第１シリンダー及び第２シリンダーは油圧シリンダーまたは空圧シリンダーであることを特徴とする。
【００２２】
前記前方本体および後方本体のうちのいずれか一方には、本体を前後方向に貫通する少なくとも一つのホールが設けられており、他の一方には、前記ホールを通過するシャフトが設けられていることを特徴とする。
【００２３】
前記前方本体と後方本体のうちのいずれか一方には、前記ホールを通過して移動する前記シャフトの前後方向の直線運動をスムーズにするためにリニアブッシュが備えられていることを特徴とする。
【００２４】
前記シャフトの外周には、前記前方本体と前記後方本体との間の衝撃を緩和するための衝撃緩和部材が設置されていることを特徴とする。
【００２５】
また、本発明は、前記ゴルフパターヘッド、およびゴルフパターヘッドのヘッド本体に連結されるグリップを含むゴルフパターを提供する。
【００２６】
前記ゴルフパターのグリップは前記後方本体に連結されることを特徴とする。
【発明の効果】
【００２７】
本発明の実施形態に係るゴルフパターヘッド及びこれを備えたゴルフパターによれば、ゴルフボールの打撃の際にゴルフボールと接触する打撃面を有する打撃部材が上方に上昇することにより、ゴルフボールの回転をスムーズに誘導することができる。したがって、ゴルフボールをユーザーの所望する方向にさらに正確に移動させることができる。
【００２８】
また、本発明の実施形態に係るゴルフパターヘッド及びこれを備えたゴルフパターによれば、ゴルフパターヘッドの前方本体と後方本体との間には緩衝手段が設置され、ゴルフボールの打撃の際に衝撃を吸収することにより、瞬間的な衝撃によってゴルフボールが地面に対して滑ることを防止し、ゴルフボールのよりスムーズな回転を可能にする。
【図面の簡単な説明】
【００２９】
【図１】本発明の第１実施形態に係るゴルフパターヘッドを含むゴルフパターの斜視図である。
【図２】本発明の第１実施形態に係るゴルフパターヘッドの斜視図である。
【図３】本発明の第２実施形態に係るゴルフパターヘッドの斜視図である。
【図４】本発明の第３実施形態に係るゴルフパターヘッドのゴルフボール打撃前の状態を示す斜視図である。
【図５】本発明の第３実施形態に係るゴルフパターヘッドのゴルフボール打撃後の状態を示す斜視図である。
【図６】本発明の第４実施形態に係るゴルフパターヘッドの斜視図である。
【図７】本発明の第４実施形態に係るゴルフパターヘッドの主要部分を概略的に示す図である。
【図８】本発明の第４実施形態に係るゴルフパターヘッドのゴルフボール打撃後の状態を示す図である。
【図９】本発明の第５実施形態に係るゴルフパターヘッドの斜視図である。
【図１０】本発明の第５実施形態に係るゴルフパターヘッドの第１シリンダーおよび第２シリンダーを示す斜視図である。
【図１１】本発明の第５実施形態に係るゴルフパターヘッドの第１シリンダーと第２シリンダーとを連結する流路の一例を示す図である。
【図１２】本発明の第５実施形態に係るゴルフパターヘッドの第１シリンダーと第２シリンダーとを連結する流路の他の例を示す断面図である。
【図１３】本発明の第５実施形態に係るゴルフパターヘッドの作動を示す斜視図である。
【図１４】本発明の実施形態に係るゴルフパターヘッドの打撃部材でゴルフボールを打撃するための段階を示す図である。
【図１５】本発明の実施形態に係るゴルフパターヘッドの案内部材とスライド部を示す図である。
【発明を実施するための形態】
【００３０】
以下、添図面を参照して本発明の好適な実施形態を詳細に説明する。これらの実施形態は本発明をより具体的に説明するためのものである。本発明の範囲がこれらの実施形態に限定されないというのは、当業分野における通常の知識を有する者にとって自明であろう。
【００３１】
図１は本発明の第１実施形態に係るゴルフパターヘッドを含むゴルフパターの斜視図、図２は本発明の第１実施形態に係るゴルフパターヘッドの斜視図、図３は本発明の第２実施形態に係るゴルフパターヘッドの斜視図、図４および図５は本発明の第３実施形態に係るゴルフパターヘッドを示す図、図６乃至図８は本発明の第４実施形態に係るゴルフパターヘッドを示す図、図９は本発明の第５実施形態に係るゴルフパターヘッドの斜視図、図１０乃至１２は本発明の第５実施形態に係るゴルフパターヘッドの第１シリンダーと第２シリンダーとの連結関係を示す図、図１３は本発明の第５実施形態に係るゴルフパターヘッドの作動を示す図、図１４は本発明の実施形態に係る打撃部材とゴルフボールの移動関係を示す図、図１５は本発明の実施形態に係る案内部材とスライド部を示す図である。
【００３２】
図１および図２に示すように、本発明の第１実施形態に係るゴルフパター１は、ゴルフパターヘッド３とグリップ４から構成され、ゴルフパターヘッド３は、ヘッド本体５と、ヘッド本体５に設置されるゴルフボール打撃面６０を有する打撃部材６と、打撃部材６とヘッド本体５との間に設置され、打撃部材６の上下方向スライドを案内する案内部材５１とを含む。本発明の第１実施形態に係るゴルフパターヘッド３の前記構成は、最も基本となるものであって、残りの第２乃至第５実施形態に係るゴルフパターヘッドにも適用されている。
【００３３】
前記ヘッド本体５は、グリップ４に連結される部分であって、金属素材で形成でき、所定の重量を有する。
【００３４】
前記打撃部材６は、ヘッド本体５の前方に設置され、前記ヘッド本体５に対して所定の範囲で上下に自由にスライドでき、ヘッド本体と同じ金属素材で出来てもよい。
【００３５】
前記打撃部材６は、長方形の板状に形成できる。図１に示された実施形態の如く、前記打撃部材６は、ヘッド本体５の前面部よりも小さく形成され、ヘッド本体５の前面部と同じ平面上に位置するように設置されることも可能であり、必要に応じては、図４に示された実施形態の如くヘッド本体５の前面部よりも大きい長方形の板状に形成され、ヘッド本体５の前面部よりも前方に位置することもできる。
【００３６】
前記ヘッド本体５に対する打撃部材６の上下方向の自由なスライドのために、前記ヘッド本体５には、打撃部材６の上下スライドを案内する案内部材５１が備えられ、前記打撃部材６の後方には、前記案内部材５１に対してスライドされるスライド部６１が備えられ得る。図１および図２の実施形態では、案内部材５１がヘッド本体５とは別個の構成として示されているが、これは一つの実施形態に過ぎず、案内部材５１はヘッド本体５と一体に設けられてもよい。
【００３７】
一つまたは複数の実施形態において、図１、図２及び図１５に示すように、前記案内部材５１は、水平面に平行な面に対して切られた断面が「コ」字状を有する所定の高さに形成された柱状をし、両側内面には、半円状の断面を有する溝５１１が長さ方向に設けられ得る。図１５に示すように、前記打撃部材６のスライド部６１は、「コ」字状をし、案内部材５１と向かい合う方向に前記案内部材５１の「コ」字の内部に挿入できる。前記打撃部材６のスライド部６１の両側外面には、向かい合う案内部材５１の溝５１１に対応する半円状の断面を有する溝６１１が所定の範囲で設けられており、前記スライド部６１の溝６１１の内部には、多数のボールベアリング６１２が備えられ得る。案内部材の溝５１１とスライド部の溝６１１との間に配置されるボールベアリング６１２によって前記打撃部材６が案内部材５１内でスムーズに上下にスライドできる。但し、これは一つの実施形態に過ぎず、ヘッド本体に対して打撃部材をスムーズにスライドさせることができる構成であればいずれも適用できる。
【００３８】
前記案内部材５１は、前記打撃部材６の上下方向のスライド移動を所定の範囲に制限するために、少なくとも一つのストッパー（図示せず）を含むことができる。ストッパーの形状には制限がなく、打撃部材６の上下方向のスライドを制限することができるものであればいずれも、ストッパーになることができる。一つまたは複数の実施形態において、ストッパーはスライド部６１の上方移動を制限するために、図１５に示された案内部材５１の上端を覆う上部板（図示せず）を含むことができ、同様にスライド部６１の下方移動を制限するために、案内部材５１の下端を覆う下部板（図示せず）を含むことができる、他の実施形態として、ストッパーは、案内部材５１に長さ方向に設けられている前記溝５１１を上部と下部において一部分を塞ぐ形で形成されることも可能である。案内部材５１の溝５１１が塞いでいる部分では、それ以上スライド部６１のボールベアリング６１２が移動することができないので、このように溝５１１を上下で塞いでいる部分もストッパーになることができる。別の実施形態として、前記スライド部６１の後面部６１３に突起が後方に突出し、これと向かい合う案内部材５１の前面部５１４の上部と下部に、それぞれ前記突起と当接できる制限部材が前方に突出するように設けられてもよい。ストッパーによって、打撃部材６が案内部材５１の外に離脱せず、特に打撃部材６の下面がヘッド本体５の下面よりも下方に下降して地面と当接することを防止することができる。
【００３９】
図１４は本発明の実施形態に係るゴルフパターヘッドの打撃部材６でゴルフボール２を打撃する場合を示している。図１４（ａ）と（ｂ）に示すように、ゴルフボール２は、地点Ｐで地面と摩擦して接触しており、この状態でゴルフパターヘッドの打撃部材６でゴルフボールを打撃すると、ゴルフボール２は、地点Ｐで地面と摩擦しているので反時計回りＲに回転しようとする。しかし、従来技術の場合、この状況でゴルフパターヘッドの前面部６とゴルフボール２とが地点Ｑで互いに摩擦して接触しているので、ゴルフボール２の反時計回りＲへの回転がＱ地点での摩擦によって妨げられ、これによりゴルフボールがスムーズに回転することができないという問題があった。これに反し、本発明の実施形態に係るゴルフパターヘッド３によれば、ゴルフパターヘッド３の打撃部材６がヘッド本体５に対して自由に上下にスライドできるので、図１４（ｂ）のような状況で図１４（ｃ）のように上部にスライド移動してゴルフボール２の反時計回りＲへの回転を妨げなくなる。以後、ゴルフボール２が回転しながら前進すると、重力により前記打撃部材６は元の位置に下降する。よって、本発明の実施形態に係るゴルフパターヘッド３によれば、ゴルフボールの打撃の際に回転がさらにスムーズに行われるため、ゴルフボールの直進性が向上し、ユーザーの所望する方向に容易にゴルフボールを移動させることができる。
【００４０】
図３は本発明の第２実施形態に係るゴルフパターヘッド３を示す図である。本発明の第２実施形態によれば、ゴルフパターヘッド３は、ゴルフボール２を打撃する前方本体５２と、グリップ４が連結される後方本体５３と、前記前方本体５２と後方本体５３との間に配置される緩衝装置５４とを含む。
【００４１】
前方本体５２の前面部には前記案内部材５１および打撃部材６が設置される。案内部材５１と打撃部材６は、前記第１実施形態におけるそれと同様なので、具体的な説明は省略する。
【００４２】
前方本体５２は、後方本体５３に対して前後方向に自由にスライドできるように設置される。一つまたは複数の実施形態において、前方本体５２及び後方本体５３のうちのいずれか一方には本体の前後を貫通するホール５２１が備えられ、他の一方には水平方向に延びているシャフト５３１が備えられ、ホール５２１を介してシャフト５３１が移動することにより前方本体５２と後方本体５３が互いにスライドする。スライドをよりスムーズにするために、前記ホールにはリニアブッシュ５２２が備えられる。具体的に図示されてはいないが、シャフト５３１がホール５２１またはリニアブッシュ５２２の外に完全に離脱しないようにシャフト５３１の端部などに所定の突出部分またはフランジが設けられ得る。図３に示された第２実施形態では、前方本体５２の両側に２つのホール５２１が設けられており、それぞれのホール５２１にリニアブッシュ５２２が備えられ、対応する位置における後方本体５３の両側に２つのシャフト５３１が備えられる。しかし、図４の実施形態の如く、打撃部材６が前方本体５２よりも長く形成されている場合には、後方本体５３にホール５２１とリニアブッシュ５２２が備えられ、前方本体の後方にシャフト５３１が配置され得る。
【００４３】
前記緩衝装置５４は、ゴルフボール２の打撃の際に衝撃を緩和して、前方本体５２と後方本体５３とが急激に近づくのを防止する。一つまたは複数の実施形態において、緩衝装置５４は、スポンジ、スプリング、シリンダー、およびショックアブソーバのいずれかになることができる。例えば、前方本体５２の後方にショックアブソーバが水平に設置されており、打撃の際に前方本体５２と後方本体５３とが近づくと、ショックアブソーバによって衝撃が緩和される。また、同様に、前方本体５２の後方にシリンダー５４１が挿入されており、シリンダーに設置されたピストンロッド５４２が水平に後方本体に向かって延びることも可能である。
【００４４】
本発明の第２実施形態に係るゴルフパターヘッド３によれば、ゴルフボール２の回転がよりスムーズに行われ得る。図１４に示された実施形態を参照してこれを説明すると、図１４（ａ）の如く、ゴルフボール２は、打撃の前に地面で停止しているので、その慣性および地面の状態に応じて、打撃をしても直ちに回転し難い場合が生じることがある。もし図１４（ｂ）の状況で打撃部材６がゴルフボール２を打撃する場合、非常に短い瞬間にゴルフボール２に大きい衝撃が加えられると、ゴルフボール２が十分に回転する前に、既にゴルフボール２が地面に対して滑って移動することができるので、ゴルフボール２の回転おおびそれによる進行方向性が悪化するそれがある。しかし、本発明の第２実施形態によれば、ゴルフボール２の打撃の際に緩衝装置５４によって前方本体５２が後方本体５３側へ移動する過程で打撃時の衝撃を吸収することにより、ゴルフボール２が回転する前に地面に対して滑ることを防止し、衝撃を吸収する間に、図１４（ｃ）の如く打撃部材６がこれに符合して十分に上方に上昇することにより、ゴルフボール２の回転をスムーズに誘導することができる。
【００４５】
図４乃至図１３に示された本発明の第３実施形態乃至第５実施形態の場合は、前記第２実施形態の構成をすべて含むことができ、これに加えて、ゴルフボール２の打撃の際に打撃部材６をさらに能動的に上方にスライドさせることができるようにする上昇機構７をさらに含んでいる。図４および図５に示す第３実施形態では、上昇機構７として多数のギアを採用しており、図６乃至図８に示された第４実施形態では、上昇機構７として棒を採用しており、図９乃至図１３に示された第５実施形態では、上昇機構７として複数の油圧シリンダーまたは空圧シリンダーを採用している。以下、それぞれの実施形態について説明する。
【００４６】
図４および図５に示された本発明の第３実施形態に係るゴルフパターヘッド３によれば、後方本体５３は、前面部に少なくとも一つの水平方向ラックギア８１を含み、前方本体５２は、前記水平方向ラックギア８１の前後移動によって前記前方本体５２の長さ方向と平行な回転軸Ｓを中心に回転するピニオンギア８２を含み、打撃部材６は、その後面部に前記ピニオンギア８２の回転によって上下に移動するようになっている垂直方向ラックギア８３を備える。
【００４７】
一つまたは複数の実施形態において、図４および図５に示すように、前記ピニオンギア８２は、前方本体５２の両側にそれぞれ備えられ、直径の異なる２つの第１ピニオンギア８４と第２ピニオンギア８５とが回転軸Ｓの方向に沿って結合された形状をすることができる。互いに異なるサイズのピニオンギア８２を用いて適切にギア比を設定することにより、前方本体５２と後方本体５３とが近づく距離に比べて、打撃部材６が上昇する高さがさらに大きくなるようにすることができる。本発明の第３実施形態によれば、直径の大きい第１ピニオンギア８４は、打撃部材６の垂直方向ラックギア８３と結合する。このため、図４および図５に示すように、前記打撃部材６は、長さ方向の両側に前方本体５２よりも長く延びており、前方本体５２を越えて延びている両側の後面に垂直方向ラックギア８３が設置されて前記第１ピニオンギア８４と連結される。また、図４および図５に示すように、後方本体５３も前方本体５２の長さよりも長く形成されて両端部に水平方向ラックギア８１がそれぞれ設置されることにより、前方本体５２の両側に設置された第２ピニオンギア８５とそれぞれ連結され得る。
【００４８】
図４はゴルフボール２を打撃する前の本発明の第３実施形態に係るゴルフパターヘッド３の状態を示しており、図５はゴルフボール２を打撃した後の本発明の第３実施形態に係るゴルフパターヘッド３を示している。図４の状態でゴルフボール２を打撃すると、前方本体５２と後方本体５３とが近づきながら後方本体５３の水平方向ラックギア８１が前方本体５２の第２ピニオンギア８５を時計回りに回転させ、これにより第２ピニオンギア８５と結合されている第１ピニオンギア８４も一緒に回転する。第１ピニオンギア８４が時計回りに回転しながら、連結されている打撃部材６の垂直方向ラックギア８３を上方に引き上げる。このとき、前記第１ピニオンギア８４は、第２ピニオンギア８５よりも直径がさらに大きいので、水平方向ラックギア８１が移動した距離に比べてさらに大きい距離だけ垂直方向ラックギア８３が上方に移動する。
【００４９】
したがって、本発明の第３実施形態によれば、第２実施形態と同様の効果を有し、これに加えて、ゴルフボール２の打撃の際に打撃部材６をさらに能動的に上方に上昇させることができるので、ゴルフボール２の回転がさらにスムーズになり、これによりゴルフボール２の直進性および方向性がさらに向上する。
【００５０】
但し、図４および図５に示されたのは一実施形態に過ぎず、他の実施形態では、一つの直径を有するピニオンギアに水平方向ラックギアと垂直方向ラックギアが同時に噛合されるようにすることもできる。
【００５１】
図６乃至図８に示された本発明の第４実施形態に係るゴルフパターヘッド３によれば、打撃部材６は、ヘッド本体５の上面よりも高く上方に突出している延長部９１を含み、延長部９１の上端には第１ヒンジ連結部９２が備えられ、後方本体５３の上面には第２ヒンジ連結部９３が備えられ、前記第１ヒンジ連結部９２及び第２ヒンジ連結部９３とそれぞれヒンジ結合される第１端部９５及び第２端部９６を備える棒９４を含む。
【００５２】
図８に示すように、前記延長部９１は、打撃部材６の上面中央部から上方に向かって延びており、上端部分が「
【００５３】
【数１】
2019526426.tif 000003
【００５４】
」字状に後方に向かって折られた形状になることができる。図７に示すように、「
【００５５】
【数２】
2019526426.tif 000004
【００５６】
」字状の内側には第１ヒンジ連結部９２が備えられており、ここに棒９４の第１端部９５がヒンジ結合される。棒９４の第２端部９６は、後方本体５３の所定の位置に設けられている第２ヒンジ連結部９３にヒンジ結合される。よって、棒９４は、所定の角度をもって傾いた形でヘッド本体５の上部に設置される。
【００５７】
図６はゴルフボール２を打撃する前の本発明の第４実施形態に係るゴルフパターヘッド３の状態を示しており、図８はゴルフボール２を打撃した後の本発明の第４実施形態に係るゴルフパターヘッド３を示している。図６の状態でゴルフボール２を打撃すると、前方本体５２と後方本体５３とが互いに近づくようになり、これにより棒９４の水平面に対する勾配が大きくなり、図８の如く延長部９１を上方に上昇させることにより打撃部材６を上方に移動させる。
【００５８】
したがって、本発明の第４実施形態によれば、第２実施形態と同様の効果を有し、これに加えて、ゴルフボール２の打撃の際に打撃部材６をさらに能動的に上方に上昇させることができるので、ゴルフボール２の回転がさらにスムーズになり、これによりゴルフボール２の直進性および方向性が向上する。
【００５９】
図９乃至図１３に示された本発明の第５実施形態に係るゴルフパターヘッド３によれば、前方本体５２の後方に水平に設置される第１シリンダー１０１と、前方本体５２の上部に垂直に設置される第２シリンダー１０２と、前記第１シリンダー１０１の内部と第２シリンダー１０２の内部とを互いに連通させる流路１０３とを含む。前記第１シリンダー１０１は、後方本体５３に向かって延びている第１ピストンロッド１０５を含み、前記第２シリンダー１０２は、上部に向かって延びている第２ピストンロッド１０６を含み、打撃部材６は、前記第２ピストンロッド１０６の上端部と当接できるように延びている連結部１０４を備える。
【００６０】
一つまたは複数の実施形態において、前記第１シリンダー１０１と第２シリンダー１０２は、油圧シリンダーまたは空圧シリンダーからなってもよい。前方本体５２において空間の前後方向に空間の余裕がある場合には、第１シリンダー１０１と第２シリンダー１０２が前方本体５２に前後に配置できるが、前後方向の空間が足りない場合には、図９及び図１０に示すように、第１シリンダー１０１と第２シリンダー１０２が両側にオフセットされて配置できる。
【００６１】
図１１および図１２は、第１シリンダーと第２シリンダー１０２とを連通させる流路１０３の実施形態をそれぞれ示している。図１１の実施形態によれば、流路１０３は、第１シリンダー１０１の側壁と第２シリンダー１０２の側壁とを互いに連結しており、図１２の実施形態によれば、第１シリンダー１０１の側壁と第２シリンダー１０２の下面とを連結している。但し、これに限定されるものではなく、前方本体５２の形状または大きさや、第１シリンダー１０１と第２シリンダー１０２の前方本体５２における位置などに応じて多様な形状の流路１０３を介して第１シリンダー１０１と第２シリンダー１０２とを連結することができる。図９乃至図１３に具体的に示されていないが、本発明の第５実施形態において、前記流路１０３は前方本体５２の内部に設けられている。
【００６２】
図１１を参照すると、一つまたは複数の実施形態において、第１シリンダー１０１は、第２シリンダー１０２と同じ体積を有するが、第２シリンダー１０２の直径Ｄ２よりも大きい直径Ｄ１、および第２シリンダー１０２よりも低い高さを持つように形成できる。これに符合するように、第１シリンダー１０１のピストン１０７に連結された第１ピストンロッド１０５が、第２シリンダー１０２のピストン１０８に連結された第２ピストンロッド１０６の長さよりも短い長さに形成できる。このような本発明の実施形態によれば、ゴルフボール２の打撃の際に前方本体５２と後方本体５３が圧縮されることにより、第１ピストンロッド１０５が前方に移動する距離よりも、第２ピストンロッド１０６が上方に上昇する距離がさらに大きくなる。したがって、前方本体５２と後方本体５３とが少し近づいても、第２ピストンロッド１０６は大幅に上昇することにより、連結部１０４を介して連結された打撃部材６をさらに高く能動的に上昇させることができる。その結果、ゴルフボール２の打撃の際に前方本体５２と後方本体５３が圧縮される過程で、第２ピストンロッド１０６が短時間でさらに高く上昇することにより、図１４ｂに示したＱ地点における摩擦を著しく減少させてゴルフボール２のスムーズな回転を可能にする。
【００６３】
図１３（ａ）はゴルフボール２を打撃する前の本発明の第５実施形態に係るゴルフパターヘッド３の状態を示しており、図１３（ｂ）はゴルフボール２を打撃した後の本発明の第５実施形態に係るゴルフパターヘッド３を示している。図１３（ａ）の状態でゴルフボール２を打撃すると、前方本体５２と後方本体５３とが互いに近づくようになり、第１シリンダー１０１が圧縮され、これと流路１０３を介して連通した第２シリンダー１０２が拡張される。これにより、第２ピストンロッド１０６が上昇して図１３（ｂ）の如く連結部１０４を上昇させることにより、打撃部材６を上方に移動させる。図１３に示されたような本発明の第５実施形態に係るゴルフパターヘッド３の場合、第１シリンダー１０１および第１ピストンロッド１０５が前方本体５２と後方本体５３との間で打撃時の衝撃を緩衝しているので、別の緩衝部材を備えなくても、本発明の第２実施形態と同様の効果を持つことができ、これに加えて、上述したようにさらに能動的に打撃部材６を上昇させることができる。但し、図１３の実施形態は、好適な一つの実施形態に過ぎず、それぞれのシリンダーの大きさや個数、本体の内部に配置する方式などは、当業者であれば必要に応じて適切に変更することができるのはいうまでもない。
【００６４】
図１には本発明の第１実施形態に係るゴルフパターヘッド３のヘッド本体５に連結されているグリップ４を含むゴルフパター１が実施形態として示されており、図８には本発明の第３実施形態に係るゴルフパターヘッド３の後方本体５３に連結されているグリップ４を含むゴルフパター１が実施形態として示されている。本発明の第２実施形態、第４実施形態、第５実施形態に係るゴルフパターヘッド３を含むゴルフパター１の場合にも、図８の本発明の第３実施形態に係るゴルフパターヘッド３を備えるゴルフパター１と同様に、後方本体５３にグリップ４が連結される。本発明の第１乃至第５実施形態に係るゴルフパターヘッドを備えたゴルフパターを用いてゴルフボールを打撃する場合、ゴルフボールがスムーズに回転することにより、さらに容易にユーザーの所望する方向にゴルフボールを移動させることができる。
【００６５】
以上、本発明について実施形態を挙げて説明したが、本発明は、上述した実施形態に限定されず、特許請求の範囲で請求する本発明の要旨を逸脱することなく、当該発明の属する技術分野における通常の知識を有する者であれば誰でも多様な変形実施が可能であるのはもとより、それらの変形も請求の範囲に記載された範囲内に属する。
【図１】
2019526426.tif 000005
【図２】
2019526426.tif 000006
【図３】
2019526426.tif 000007
【図４】
2019526426.tif 000008
【図５】
2019526426.tif 000009
【図６】
2019526426.tif 000010
【図７】
2019526426.tif 000011
【図８】
2019526426.tif 000012
【図９】
2019526426.tif 000013
【図１０】
2019526426.tif 000014
【図１１】
2019526426.tif 000015
【図１２】
2019526426.tif 000016
【図１３】
2019526426.tif 000017
【図１４】
2019526426.tif 000018
【図１５】
2019526426.tif 000019
【国際調査報告】
2019526426.tif 000020
2019526426.tif 000021
2019526426.tif 000022
2019526426.tif 000023